(57)【特許請求の範囲】
【請求項１】
容器本体の口部に装着されるベース部と、このベース部に配置され口部を経て容器本体内に内挿されるサクションパイプを備えるノズル付きのヘッド部からなり、該ヘッド部の押圧とその初期位置への復帰を繰り返すことによってサクションパイプを通してヘッド部のノズルより内容物を排出するディスペンサーであって、
内容物の通過させる通路内に、内容物に混在する固形物を粉砕して均一分散させる少なくとも一枚の隔壁をもった粉砕チップを配設してなる、ことを特徴とする粉砕チップを備えたディスペンサー。
【請求項２】
粉砕チップは、隔壁に粉砕口を有し、それを段階的に小さくした多段配列としたものである、請求項1記載のディスペンサー。
【発明の詳細な説明】
【０００１】
【発明の属する技術分野】
本発明は、粉砕チップを備えたディスペンサーに関し、とくに、液状物に固形物を混在させた内容物につき、該固形物をより細かく、しかも均一に液状物の中に分散させようとするものである。
【０００２】
【従来の技術】
化粧料や洗顔料においては、液状物を母相としてその中に固形物を混在させたタイプのものが市販されてきている。このような内容物を充填した容器では、その内容物を適量取り出すに際しては普通、ポンプタイプのディスペンサーが適用されている。
【０００３】
固形物は液状物に混在させるにあたっては円滑な排出ができるように予め粒度調整がなされた固形物が使用されているが、排出の初期段階では固形物よりも液状物がより多く吐出されるため中味の混在の割合が狙い通りにならず、固形物の、液状物に対する混在割合は一定しない。
【０００４】
【発明が解決しようとする課題】
本発明の課題は、液状物に固形物を混在させた内容物につき、排出の初期段階から該固形物を液状物に均一に分散させた状態で排出することができる粉砕チップを備えたディスペンサーを提案するところにある。
【０００５】
【課題を解決するための手段】
本発明は、容器本体の口部に装着されるベース部と、このベース部に配置され口部を経て容器本体内に内挿されるサクションパイプを備えるノズル付きのヘッド部からなり、該ヘッド部の押圧とその初期位置への復帰を繰り返すことによってパイプを通してヘッド部のノズルより内容物を所定量排出するディスペンサーであって、
内容物の通過する通路内に、内容物に混在する固形物を粉砕して均一分散させる少なくとも一枚の隔壁をもった粉砕チップを配設してなる、ことを特徴とする粉砕チップを備えたディスペンサーである。
【０００８】
上記のディスペンサーにおいて粉砕チップは、隔壁に粉砕口を有し、それを段階的に小さくした多段配列としたものを適用するのが望ましい。隔壁は直列的に配列することも、また、並列的に配列することもできる。
【０００９】
【発明の実施の形態】
液状物に固形物を混在させた内容物を、隔壁の粉砕口を通して排出するに際して固形物をその粉砕口で粉砕させる。これにより液状物の中で固形物の均一な分散が図られる。
【００１０】
【実施例】
以下、図面を用いて本発明をより具体的に説明する。
図１は本発明に従う粉砕チップを備えたポンプタイプのディスペンサーを示したものである。
【００１１】
図において１は容器本体の口部においてねじ止めによって装着することができるベース部、２はベース部１に配置されたヘッド部である。
【００１２】
ヘッド部２はシリンダーｓ、ピストンｐ、開閉弁ｖの組合せになるポンプ部２ａとこのポンプ部２ａにつながるサクションパイプ２ｂにて構成される。ヘッド部２の押圧とその初期位置への復帰を繰り替えすことによってサクションパイプ２ｂ、ポンプ部２ａを通して容器本体内の内容物をノズル２ｃの先端より排出する。
【００１３】
また、３はサクションパイプ２ｂ内に配置した例で示した粉砕チップ、４はピストンｐの通路にそれと一体形成した例で示した第２の粉砕チップである。
【００１４】
粉砕チップ３はその外観を図２に示すようにその全てを一体成形とした４枚の隔壁３ａ〜３ｄを段階的に配置した１パーツの多段配列からなり、それぞれの隔壁３ａ〜３ｄには容器側からディスペンサーのノズル２ｃに向かって徐々にサイズを小さくした粉砕口ｈ１〜ｈ４が設けられている。
【００１５】
ヘッド部２の押圧とその初期位置への復帰動作を繰り返すと、容器内の内容物は粉砕チップ３の各隔壁３ａ〜３ｄに設けられた粉砕口ｈ１〜ｈ４を通ってノズル２ｃより排出されることになるが、内容物の中に混在する固形物はその際、隔壁３ａ〜３ｄの各粉砕口h１〜h４及び第２の粉砕チップ４の粉砕口により段階的に粉砕されゆき、固形物が液状物中に均一に分散した状態でノズル２ｃより排出されることになる。
【００１６】
隔壁３ａ〜３ｄの各粉砕口ｈ１〜ｈ４は、容器の底部側を上流、ノズル２ｃ側を下流とした場合に、ｈ１＞ｈ２＞ｈ３＞ｈ４となるように上流から下流に向けて徐々に小さくしてゆく。
【００１７】
粉砕口のサイズは、固形物のサイズ、材質に応じて適宜に設定される。また、粉砕口の形状は円形の場合を例として示したが、これは本発明においてとくに限定されるものでなく矩形、三角、星形等種々の形状が適用できる。
【００１８】
図３は本発明に従う他の粉砕チップを組み込んだ例である。この例は、粉砕チップ３を３つのパーツよりなるものとしてこれをシリンダーｓの先端部に組み付けたものであり、図４に分解状態における外観を示す。
【００１９】
上掲図３、図４に示したタイプの粉砕チップ３についても、内容物に含まれる固形物は各隔壁を通り抜けるときに段階的に粉砕されノズル２ｃから排出された時点で小さく粉砕された固形物が液状物中に均一に分散される。
【００２０】
また、図５は本発明に従う他の粉砕チップ３を備えた例を示したものである。ここに示した粉砕チップ３は図６にその外観を示したように２パーツからなる。かかる粉砕チップ３はチップ内のメンテナンスを容易とするものであって、固形物を均一に分散させる効果については前述のものと何らかわるところはない。
【００２１】
図７は図８に示すような外観形状を有する粉砕チップ３を組み込んだ例であり、さらに、図９は図１０に示すような外観形状を有する粉砕チップ３を組み込んだ好適例である。
【００２２】
図７、図８に示した粉砕チップ３は隔壁３ａ〜３ｅのうち、３ｂ、３ｃ及び３ｄについて切り欠ｍを設け、シリンダーｓおよびサクションパイプ２ｂへの取り付けに際してそれらの壁面と協働して粉砕口を形成するものである。
【００２３】
この粉砕チップ３は、粉砕口において例え目詰まりが起きても、それを取り外すだけで簡単に解消することができる利点がある。
【００２４】
さらに、粉砕チップ３は図１１に示すように、隔壁３ａ〜３ｄと仕切り板によって内容物が通る通路を４つの部屋に区画して図中の矢印の如く、内容物を通すこともでき、この場合も固形物は段階的に粉砕され液状物において均一に分散されることになる。
【００２５】
図１２はディスペンサーの全体の外観を示したものであって、本発明に従う粉砕チップ３は、サクションパイプ２ｂのＡ部、Ｂ部あるいはＣ部のどの部分に配置することができるものであり、設置が可能ならば、ポンプ部内あるいはヘッド部２内に設置することも可能であり、設置場所についてはとくに限定されない。
【００２６】
図１３は口部にヒンジ式のキャップを備えたディスペンサーを装着して、胴部をスクイズすることによって内容物を排出する外容器５とこの外容器５の内側に配置され内容物を収納する減容可能な袋状の内容器６からなるデラミネーションタイプの容器を示したものである。
【００２７】
かかる容器はディスペンサーの内部に上掲図１〜図１１に示したような粉砕チップ３を組み込んでおくことにより、固形物を含むような内容物を充填するものであっても、ポンプタイプのディスペンサーと同様に固形物を均一に分散させた状態で排出することができる。
【００２８】
本発明では、ポンプタイプやスクイズタイプのディスペンサーについて言及したが、内容物を通過させて定量的な注出を可能とするものであるならばとくにディスペンサーの形式については限定されない。
【００２９】
【発明の効果】
本発明によれば、液状物に固形物が混在するような内容物を充填する容器において、液状物の粘度にかかわりなく、固形物を液状物に均一に分散させた状態で排出することができる。
【００３０】
液状物に含まれる固形物は、粉砕チップの粉砕口を通過する際に粉砕されることを前提とするものであるので、固形物の粒度を、最も下流側に位置する隔壁に設けられた粉砕口のサイズよりも大きい粒度になるように調整するのみで液状物に混在させることができ、固形物に関し厳密な粒度調整は必要なく、製造工程の簡素化を図ることができる。
【図面の簡単な説明】
【図１】  本発明に従う粉砕チップを備えたディスペンサーの構成図である。
【図２】  図１に示した粉砕チップの外観斜視図である。
【図３】  本発明に従う粉砕チップを備えたディスペンサーの他の構成例である。
【図４】  図３に示した粉砕チップの外観斜視図である。
【図５】  本発明に従う粉砕チップを備えたディスペンサーの他の構成例である。
【図６】  図６に示した粉砕チップの外観斜視図である。
【図７】  本発明に従う粉砕チップを備えたディスペンサーの他の構成例である。
【図８】  図７に示した粉砕チップの外観斜視図である。
【図９】  本発明に従う粉砕チップを備えたディスペンサーの他の構成例である。
【図１０】  図９に示した粉砕チップの外観斜視図である。
【図１１】  本発明に従う粉砕チップの外観斜視図である。
【図１２】  ディスペンサーの外観を示した図である。
【図１３】  デラミネーションタイプの容器外観を示した図である。
【符号の説明】
１  ベース部
２  ヘッド部
２ａ  ポンプ部
２ｂ  サクションパイプ部
２ｃ  ノズル
３  粉砕チップ
３ａ〜３ｄ  隔壁
４  第２の粉砕チップ
５  外容器
６  内容器
ｓ  シリンダー
ｐ  ピストン
ｖ  開閉弁
ｈ１〜ｈ４  粉砕口
ｍ  切り欠
【図１】
0003839663.tif 000002
【図２】
0003839663.tif 000003
【図３】
0003839663.tif 000004
【図４】
0003839663.tif 000005
【図５】
0003839663.tif 000006
【図６】
0003839663.tif 000007
【図７】
0003839663.tif 000008
【図８】
0003839663.tif 000009
【図９】
0003839663.tif 000010
【図１０】
0003839663.tif 000011
【図１１】
0003839663.tif 000012
【図１２】
0003839663.tif 000013
【図１３】
0003839663.tif 000014